(57)【要約】      （修正有）【課題】最上面の名刺をケース外に繰り出す繰り出し機構とを備える名刺入れにおいて、二枚繰り出しが生じない構造の名刺入れを提供する。【解決手段】積層状態の名刺を収納する扁平箱型の収納ケースと、積層名刺群をケース内上方へ押し上げる押上機構と、ケース前壁部１３に繰り出し孔１３１を設ける。繰り出し孔１３１をケース上面板１１の裏面に沿って形成し、繰り出し機構を、上面板に操作透孔１１１を設け、上面板裏面に薄金属板で形成して、密着状態で配置されると共に後縁部を下方側へ折り返しての名刺厚以下の突出とした係止爪３３を設けたスライド薄板を、上面板上をスライド可能に配置すると共に、操作透孔を通してスライド薄板と連結した操作部３２とで構成した。【選択図】図４
0003232063.tif 000002
【実用新案登録請求の範囲】
【請求項１】
複数枚の名刺を積層状態に収納する扁平箱型の収納ケースと、前記積層名刺群をケース内上方へ押し上げる押上機構と、ケース前壁部に名刺を１枚通過させるに十分な間隙に形成した繰り出し孔を設けると共に、前記積層最上面の名刺をケース外方から操作することによって、前記積層最上面の名刺をケース外に繰り出す繰り出し機構とを備える名刺入れにおいて、
収納ケースの下面板を開閉構造に形成し、
押上機構を、収納ケースの下面板の適宜位置に設けた扁平磁石と、下面板方向に反発力が作用する扁平磁石を備えた押上シート体で構成し、
繰り出し孔を上面板の裏面に沿って形成し、
繰り出し機構を、上面板に後壁部から前壁方向へ適宜な長さの操作透孔を設け、上面板裏面に薄金属板で形成して、密着状態で配置されると共に後縁部を下方側へ折り返しての名刺厚以下の突出とした係止爪を設けたスライド薄板を、前記係止爪が後壁部に設けた収納凹部内に納まる範囲を含めて、上面板上をスライド可能に配置すると共に、前記操作透孔を通して前記スライド薄板と連結した操作部とで構成してなることを特徴とする名刺入れ。
【請求項２】
繰り出し孔の中央部分を、上面板に近接する突部に形成すると共に、前記突部の背面を傾斜面に形成してなる請求項１記載の名刺入れ。
【請求項３】
突部上面と前記突部上面に対面する上面板に、吸着用磁石を埋設してなる請求項２記載の名刺入れ。
【請求項４】
押上シート体を磁石シートで形成してなる請求項１乃至３記載の何れかの名刺入れ。
【考案の詳細な説明】
【技術分野】
【０００１】
本考案は、名刺の携帯のために使用する名刺入れにおいて、特に名刺収納ケースから名刺を１枚毎繰り出す構造を備えたものに関するものである。
【背景技術】
【０００２】
名刺収納のケースから名刺１枚を繰り出す名刺入れの基本的構成は、収納ケース内に複数枚の名刺を積層状態に収納し、前記積層名刺をケース内上方に発条又は磁石の吸引反発力で押し上げる押上機構部を備え、ケース側面の上方位置に名刺が１枚通過する繰り出し孔を設けると共に、ケース上面に底面が最上面の名刺と当接し且つ上部がケース上面に露出した操作摘みを形成した繰り出し機構部を備え、操作摘みを動作させて、最上層の名刺を繰り出し孔からケース外に露出させ、当該露出した名刺を手で取り出すようにしているものである（特許文献１，２，３，４，５，６）。
【０００３】
しかし前記の名刺入れの繰り出し機構は、操作摘みを動作させると、操作摘みと最上層の名刺との摩擦力で名刺が繰り出し孔より繰り出されるが、繰り出し孔の間隙を名刺１枚分の厚さとした場合には、名刺が僅かな湿気を含むことによって、取り出しができなくなる恐れがある。
【０００４】
更に前記間隙に余裕を持たせると、名刺の厚さの変化に対応可能であるが、積層状態の積層名刺群を上方より押圧しながらの繰り出し操作となるので、前記押圧力によって積層名刺が互いに付着し二枚繰り出しとなる。
【０００５】
この対策として、先に名刺の収納ケースの上面板に後壁部から前壁方向へ適宜な長さで、且つケース後壁部を適宜範囲抉ってなる抉り空間を備えた操作孔部と、裏面に前記操作孔部内を移動可能に納まり、且つ前記抉り空間内に位置して装着時に上面板裏面より名刺厚以下の突出となる係止爪を備えた突出部を設け、上面板表面に前後方向スライド自在に組み込んでなる操作板を備え、前記操作板の操作で名刺をケースから引き出す構成の名刺入れを提案した（特許文献７）。
【０００６】
【特許文献１】実開昭５９−１５９３２号公報。
【特許文献２】実開昭６１−１９０２２０号公報。
【特許文献３】実開昭６２−１１９８３１号公報。
【特許文献４】登録実用新案３１０９８６０号公報。
【特許文献５】登録実用新案３１１４６０１号公報。
【特許文献６】登録実用新案３１３３２０１号公報。
【特許文献７】登録実用新案３２１７１９４号公報。
【考案の開示】
【考案が解決しようとする課題】
【０００７】
前記した特許文献７記載の名刺入れは、特に操作板による操作によるもので、積層名刺群を押し込んで最上位置名刺との摩擦力による繰り出しに比較して、２枚繰り出しが防止されるが、名刺自体が湿気を帯びて他に付着しやすい状態となるので、最上位置名刺が操作板に付着すると共に、次位置名刺も最上位置名刺に付着して２枚繰り出してしまう場合がある。
【０００８】
そこで本考案は、確実に名刺の１枚繰り出しがなされる繰り出し機構を改良した名刺入れを提案したものである。
【課題を解決するための手段】
【０００９】
本考案の請求項１記載の名刺入れは、複数枚の名刺を積層状態に収納する扁平箱型の収納ケースと、前記積層名刺群をケース内上方へ押し上げる押上機構と、ケース前壁部に名刺を１枚通過させるに十分な間隙に形成した繰り出し孔を設けると共に、前記積層最上面の名刺をケース外方から操作することによって、前記積層最上面の名刺をケース外に繰り出す繰り出し機構とを備える名刺入れにおいて、収納ケースの下面板を開閉構造に形成し、押上機構を、収納ケースの下面板の適宜位置に設けた扁平磁石と、下面板方向に反発力が作用する扁平磁石を備えた押上シート体で構成し、繰り出し孔を上面板の裏面に沿って形成し、繰り出し機構を、上面板に後壁部から前壁方向へ適宜な長さの操作透孔を設け、上面板裏面に薄金属板で形成して、密着状態で配置されると共に後縁部を下方側へ折り返しての名刺厚以下の突出とした係止爪を設けたスライド薄板を、前記係止爪が後壁部に設けた収納凹部内に納まる範囲を含めて、上面板上をスライド可能に配置すると共に、前記操作透孔を通して前記スライド薄板と連結した操作部とで構成してなることを特徴とするものである。
【００１０】
而して下面板を開口して収納ケース内に名刺を積層して収納し、押上シート体を積層名刺の最下層に重ね、下面板を閉じると、下面板の磁石体と押上シート体の磁気反発力で積層名刺群を上面板の裏面に押し付ける。前記状態で操作部を後壁部側に移動させて、係止爪を収納凹部内に位置させた後、操作部を前方へスライドさせると積層名刺群の最上位置名刺の後縁を係止爪で係止して前方に押し出され、最上位置名刺が繰り出し孔から突出して同名刺の一部が収納ケースより露出するので、露出部分を持ってケースから引き出すことができる。特に係止爪を薄金属板で設けたスライド薄板の折り返しで形成したので、名刺１枚の厚さに対応して名刺端縁を確実に係止する係止爪を、容易に形成することができる。
【００１１】
また本考案の請求項２記載の名刺入れは、上記の名刺入れにおいて、特に繰り出し孔の中央部分を、上面板に近接する突部に形成すると共に、前記突部の背面を傾斜面に形成してなるもので、また請求項３記載の名刺入れは、更に突部上面と前記突部上面に対面する上面板に、吸着用磁石を埋設してなるものである。
【００１２】
従って繰り出し孔の間隙を名刺の繰り出しに支障が生じない間隙に形成しているものであるが、最上位置名刺の繰り出しに際して、次位置名刺が最上位置名刺に湿気などで付着していたとしても、繰り出し孔に臨んで設けた突部によって次位置名刺の突出が阻止されると共に、突部の背面を傾斜面としているので、最上位置名刺の繰り出しはスムーズになされる。
【考案の効果】
【００１３】
本考案の構成は上記のとおりで、収納ケース内の積層名刺群のうち最上位置名刺のみを係止爪で押し出すもので、摩擦を利用する繰り出し機構と異なり、２枚繰り出しを完全に防止し、１枚毎の確実な繰り出しがなされる名刺入れを提供できたものである。
【図面の簡単な説明】
【００１４】
【図１】本考案の実施形態の使用状態の説明図。
【図２】同名刺収納前の下方斜視図。
【図３】同名刺繰り出し機構の説明図（繰り出し前）。
【図４】同図（繰り出し後）。
【図５】同前面図（繰り出し孔の説明図）。
【考案を実施するための形態】
【００１５】
次に本考案の実施形態について説明する。実施形態に示した名刺入れは、収納ケース１と押上シート体２と操作体（繰り出し機構）３の各部材で構成される。
【００１６】
収納ケース１は、複数枚の名刺が積層状態（積層名刺群Ａ）で納まる内容積を備えた扁平箱型で、上下面板１１，１２及び各壁部（前壁部１３，後壁部１４、左右壁部１５）で形成される。
【００１７】
上面板１１は、各壁部１３，１４，１５の上面に一体に形成したもので、後壁部１４側に操作透孔１１１を設け、前縁中央下面（後述する突部１３２と対面する位置）に吸引用小磁石１１２を埋設してなる。
【００１８】
下面板１２は、前壁部１３の下方にヒンジ連結して煽り開閉自在に組み込まれ、下面板１２を閉口した際に対面する後壁部１４の下面と下面板１２の裏面にそれぞれ吸着用小磁石（開閉クリック機構）１２１，１４１を設け、また下面板１２の裏面の所定位置（後述する押上シート体２との磁気反発力がバランスよく働く位置）には、積層名刺群Ａの押上機構を構成する偏平磁石１２２を設けてなる。
【００１９】
また前壁部１３の上面には、名刺ａが十分に通過できる幅・高さの凹部を設けて、上面板１１と壁部１３、・・・と連結した際に、繰り出し孔１３１が形成されるようにしたものであり、また前記凹部の中央部分に、前記上面板１１に近接する（名刺ａの厚みと同等の間隙）突部１３２を設ける共に、前記突部１３２の背面を傾斜面１３３に形成する。更に前記突部１３２には、吸引用小磁石１３４を埋設してなる。
【００２０】
後壁部１４の上面には、後述する上面板１１に装着する操作体３の係止爪３３納まる収納凹部１４２を設けたものである。
【００２１】
押上シート体２は、積層名刺群Ａと重ねて収納ケース１に納めてなるもので、一角部分を切り落として取り出し用の切欠部２１を設けたもので、全体が磁気シートで形成されており、下面板１２の偏平磁石１２２に対して磁気反発作用が働くように収納ケース１内に収納するものである。
【００２２】
操作体３は、スライド薄板３１と操作部３２からなり、スライド薄板３１は、薄金属板（０．１ｍｍ厚以下）で形成し、操作透孔１１１の前長より長くし、後端部分を折り返して係止爪３３としたものである。操作部３２は上面板１１上を前後方向にスライド可能に設けたもので、前記スライド薄板３１を上面板１１の裏面に密着状態で配置すると共に、上面板１１の表面上の操作部３２と操作透孔１１１を通して連結して一体としたものである。
【００２３】
尚、図示した名刺入れは、カバー体Ｂを付設したもので、カバー体Ｂは二つ折りでケース全体を保護するもので、繰り出し孔１３１側（前方）が二つ折りの折り返しカ所となるように、下面板１２の表面に貼着したものである。
【００２４】
而して上記構成の名刺入れは、上下逆転状態で下面板１２を開口し、開口箇所から名刺ａを積層状態で収納し、収納した積層名刺群Ａに押上シート体２を重ねた後、下面板１２を閉じ（吸着用小磁石１２１，１４１で吸着されている）、更にカバー体Ｂを折畳んで携帯するものである。
【００２５】
上記の携帯時において収納されている積層名刺群Ａは、押上シート体２が下面板１２との磁気反発力で上面板１１方向に持ち上げられて、最上位置名刺ａが上面板１１の裏面に密着している状態である。
【００２６】
そこで名刺ａを収納ケースから取り出すために、カバー体Ｂを広げ、操作部３２を最後方位置から前方へスライド操作すると、スライド薄板３１と係止爪３３の段差が名刺ａの薄さより十分に薄いので、係止爪３３は積層名刺群Ａの最上位置名刺ａの後縁のみ係止して前方に押し出す。押し出された最上位置名刺ａは繰り出し孔１３１からその一部が突出して収納ケース１より露出するので、露出部分を手に持って収納ケース１から引き出すことができる。
【００２７】
特に前記の操作体３による最上位置名刺ａの繰り出し操作時に、次位置名刺が最上位置名刺ａに湿気などで付着していたとしても、突部１３２によって繰り出し孔１３１の最小間隙（名刺が１枚しか通過できない間隙：狭小間隙）が形成されているので、次位置名刺の繰り出しが確実に阻止される。
【００２８】
しかも突部１３２の背後が傾斜面１３３に形成されているので、突部１３２と上面板１１の裏面との間隙が前記のとおり狭小であったとしても、最上位置名刺ａはスムーズ繰り出されることになる。更に名刺の繰り出し操作を繰り返すことで前記の狭小間隙が広げられる恐れもあるが、突部１３２と上面板１１にそれぞれに吸引用小磁石１３４，１２１を設けて、上面板１１の撓みによる前記狭小間隔が広がるのを防止しているものである。
【００２９】
従って収納ケース１内に納められた積層名刺群Ａから、操作体３の操作部３２のスライド操作によって、最上位置名刺ａが１枚確実に繰り出されるものである。
【符号の説明】
【００３０】
１      収納ケース
１１    上面板
１１１  操作透孔
１１２  吸引用小磁石
１２    下面板
１２１  吸着用小磁石
１２２  偏平磁石（押上機構）
１３    前壁部
１３１  繰り出し孔
１３２  突部
１３３  傾斜面
１３４  吸引用小磁石
１４    後壁部
１４１  吸着用小磁石
１４２  収納凹部
１５    左右側壁
２      押上シート体（押上機構）
２１    切欠部
３      操作体
３１    スライド薄板
３２    操作部
３３    係止爪
Ａ      積層名刺群
ａ      名刺
Ｂ      カバー体
【図１】
0003232063.tif 000003
【図２】
0003232063.tif 000004
【図３】
0003232063.tif 000005
【図４】
0003232063.tif 000006
【図５】
0003232063.tif 000007
【手続補正書】
【提出日】令和3年3月18日(2021.3.18)
【手続補正１】
【補正対象書類名】実用新案登録請求の範囲
【補正対象項目名】全文
【補正方法】変更
【補正の内容】
【実用新案登録請求の範囲】
【請求項１】
複数枚の名刺を積層状態に収納する扁平箱型の収納ケースと、積層状態で収納された名刺全体をケース内上方へ押し上げる押上機構と、ケース前壁部に名刺を１枚通過させるに十分な間隙に形成した繰り出し孔を設けると共に、積層状態で収納された名刺における積層最上面の名刺をケース外方から操作することによって、前記積層最上面の名刺をケース外に繰り出す繰り出し機構とを備える名刺入れにおいて、
収納ケースの下面板を開閉構造に形成し、
押上機構を、収納ケースの下面板の適宜位置に設けた扁平磁石と、下面板方向に反発力が作用する扁平磁石を備えた押上シート体で構成し、
繰り出し孔を上面板の裏面に沿って形成し、
繰り出し機構を、上面板に後壁部から前壁方向へ適宜な長さの操作透孔を設け、上面板裏面に薄金属板で形成して、密着状態で配置されると共に後縁部を下方側へ折り返して名刺厚以下の突出とした係止爪を設けたスライド薄板を、前記係止爪が後壁部に設けた収納凹部内に納まる範囲を含めて、上面板上をスライド可能に配置すると共に、前記操作透孔を通して前記スライド薄板と連結した操作部とで構成してなることを特徴とする名刺入れ。
【請求項２】
繰り出し孔の中央部分を、上面板に近接する突部に形成すると共に、前記突部の背面を傾斜面に形成してなる請求項１記載の名刺入れ。
【請求項３】
突部上面と前記突部上面に対面する上面板に、吸着用磁石を埋設してなる請求項２記載の名刺入れ。
【請求項４】
押上シート体を磁石シートで形成してなる請求項１乃至３記載の何れかの名刺入れ。
【手続補正２】
【補正対象書類名】明細書
【補正対象項目名】０００９
【補正方法】変更
【補正の内容】
【０００９】
本考案の請求項１記載の名刺入れは、複数枚の名刺を積層状態に収納する扁平箱型の収納ケースと、積層状態で収納された名刺全体（以下「積層名刺群」という）をケース内上方へ押し上げる押上機構と、ケース前壁部に名刺を１枚通過させるに十分な間隙に形成した繰り出し孔を設けると共に、積層名刺群の最上面の名刺をケース外方から操作することによって、前記積層最上面の名刺をケース外に繰り出す繰り出し機構とを備える名刺入れにおいて、収納ケースの下面板を開閉構造に形成し、押上機構を、収納ケースの下面板の適宜位置に設けた扁平磁石と、下面板方向に反発力が作用する扁平磁石を備えた押上シート体で構成し、繰り出し孔を上面板の裏面に沿って形成し、繰り出し機構を、上面板に後壁部から前壁方向へ適宜な長さの操作透孔を設け、上面板裏面に薄金属板で形成して、密着状態で配置されると共に後縁部を下方側へ折り返して名刺厚以下の突出とした係止爪を設けたスライド薄板を、前記係止爪が後壁部に設けた収納凹部内に納まる範囲を含めて、上面板上をスライド可能に配置すると共に、前記操作透孔を通して前記スライド薄板と連結した操作部とで構成してなることを特徴とするものである。